(57)【特許請求の範囲】
【請求項１】
糸が通される穴の位置や大きさを異にする複数種の針を挿入孔に選択的に挿入させて支持する針支持部と、
糸をピックアップし、このピックアップした糸を前記針の穴に通す糸通し手段と
を具備する糸通し器において、
前記糸通し手段は、
前記針支持部に対して進退する方向に移動する可動部材と、
この可動部材の先端側に設けられ、前記糸を先端部でピックアップするピックアップ部と、
前記針支持部に向かって移動する前記可動部材をカム面に沿ってガイドすることにより回動させて前記ピックアップ部の先端部が前記挿入孔に選択的に挿入される複数種の針の穴のそれぞれに対して対向するように位置調整するガイド手段とを備え、
前記ガイド手段のカム面は、第１の平坦面とこの第１の平坦面に傾斜面を介して連続し前記第１の平坦面よりも高位に位置する第２の平坦面とを有し、
前記ピックアップ部の先端部の位置は、前記カム面の傾斜面の角度と長さに基づいて調整されることを特徴とする糸通し器。
【請求項２】
前記針支持部は、その中途部に前記挿入孔に対し交差する方向に移動自在で、前記挿入孔に連通する連通孔を有する押付ブロックを備え、この押付ブロックを前記糸通し手段の可動部材の動作に基づいて移動させることにより前記針を前記挿入孔の内壁面に押圧して保持することを特徴とする請求項１記載の糸通し器。
【請求項３】
前記針支持部は、その挿入孔の内壁面の上部側に細い針を嵌合保持して位置決めするための凹部を設け、
前記押付ブロックは、その連通孔の内壁面に太い針の挿入をガイドしてその穴を前記ピックアップ部の正面側に向けるようにガイドするガイド部を形成したことを特徴とする請求項２記載の糸通し器。
【発明の詳細な説明】
【技術分野】
【０００１】
本発明は、例えば、裁縫用の縫い針などの針の穴に糸を通すのに用いられる糸通し器に関する。
【背景技術】
【０００２】
この種の糸通し器は、針を支持する針支持部を有し、この針支持部に支持された針の穴に糸通し部により糸を通すようになっている。
【０００３】
ところで、裁縫用などの針としては、種々のサイズのものがあり、針の太さなどによってその穴の位置や大きさも相違している。一般的には、細い針は、穴が小さく、かつ頭頂部から穴までの距離が短い。これに対し、太い針は、穴のサイズが大きく、かつ頭頂部から穴までの距離は長い。
【０００４】
しかしながら、従来技術においては、糸通し部が糸を針支持部に向けて押し進めていくときの前進移動経路が、常に一定となっていたため、針支持部にセットされる針の孔の高さが変更されたときには、その孔に糸を通すことができないものとなっていた。
【０００５】
このため、従来技術においては、針支持部と糸通し部とを組み合わせた糸通し用の機構を２組設けた上で、その一方を太い針用とし、他方を細い針用にすることによって、いずれの針にも糸通しできるようにしている。
【０００６】
ところが、このように糸通し用の機構を複数設けたのでは、糸通し器全体の部品点数が多くなり、全体の構造が複雑となるため、その製造コストが高くなる。
【０００７】
そこで、単一の糸通し用の機構によって太い針、及び細い針のいずれの穴に対しても糸を通すことができるようにしたものが開発されている（例えば、特許文献１参照。）。
【特許文献１】特開２００４−６５７１８号公報
【発明の開示】
【発明が解決しようとする課題】
【０００８】
しかしながら、特開２００４−６５７１８号公報に開示されるものは、針の太さに応じて糸通し用の機構を構成するプッシャの移動経路を可変するものであるため、操作レバーに加え、動作板、揺動アーム、カム板、ガイド体などから構成される複雑な動作機構が必要になり、構成的に複雑化し、コスト高になるという不都合があった。
【０００９】
本発明は上記事情に着目してなされたもので、その目的とするところは、単一の糸通し用の機構で、しかも、ピックアップ部の移動経路が一定でありながら、各種太さの針の穴に糸を通すことができるようにした糸通し器を提供することにある。
【課題を解決するための手段】
【００１０】
上記課題を解決するため、請求項１記載の発明は、糸が通される穴の位置や大きさを異にする複数種の針を挿入孔に選択的に挿入させて支持する針支持部と、糸をピックアップし、このピックアップした糸を前記針の穴に通す糸通し手段とを具備する糸通し器において、前記糸通し手段は、前記針支持部に対して進退する方向に移動する可動部材と、この可動部材の先端側に設けられ、前記糸を先端部でピックアップするピックアップ部と、前記針支持部に向かって移動する前記可動部材をカム面に沿ってガイドすることにより回動させて前記ピックアップ部の先端部が前記挿入孔に選択的に挿入される複数種の針の穴のそれぞれに対して対向するように位置調整するガイド手段とを備え、前記ガイド手段のカム面は、第１の平坦面とこの第１の平坦面に傾斜面を介して連続し前記第１の平坦面よりも高位に位置する第２の平坦面とを有し、前記ピックアップ部の先端部の位置は、前記カム面の傾斜面の角度と長さに基づいて調整されることを特徴とする。
【発明の効果】
【００１１】
本発明によれば、ガイド手段のカム面に沿って可動部材を移動させるだけで、各種太さの針の孔に糸を通すことができ、構成的に簡略化してコストを低減できる。
【発明を実施するための最良の形態】
【００１２】
以下、本発明の実施の形態を図面を参照して詳細に説明する。  
図１は、本発明の一実施の形態に係る糸通し器Ａの外観を示すものである。
【００１３】
糸通し器Ａは合成樹脂製のハウジング１を有し、このハウジング１の一側部側には糸が通される穴の位置や大きさを異にする複数種の針、例えば、太い針２ａ、あるいは細い針２ｂを選択的に挿入させて起立状態で支持する針支持部３が設けられている。また、この針支持部３の近傍には糸Ｔを保持するための保持用凹部５が設けられ、糸Ｔはその一部分を保持用凹部５の底部に引っ掛けるようにしてセッティングされる。ハウジング１の上面部には操作部材６の頭部６ａが突出され、この頭部６ａの側面部には糸Ｔを切断するための切断刃７が設けられている。
【００１４】
図２は、糸通し器Ａの内部構造を示すものである。
【００１５】
操作部材６はハウジング１内に挿入され、第１のスプリング９によって上方に付勢され、下端部には接続ピン１０が突設されている。なお、図２は操作部材６が第１のスプリング９の付勢力に抗して押し下げられた状態を示している。操作部材６の接続ピン１０は糸通し手段１１の長孔１３ｃ内に挿入されている。糸通し手段１１は可動部材１３と、この可動部材１３の先端部に設けられるピックアップ部１４とによって構成されている。ピックアップ部１４は、糸Ｔを針２ａ（２ｂ）の穴４ａ（４ｂ）に押し込むための部材で、たとえば薄肉の金属板を所定形状に打ち抜くなどして形成されたものである。このピックアップ部１４の先端部は、針２ａ（２ｂ）の穴４ａ（４ｂ）に挿通する必要があるため、一方向に延びた細長な形状を有している。また、ピックアップ部１４の最先端の端面部分は、凹状に窪んだ形状とされており、糸Ｔを押すときに糸Ｔがこの部分から容易に外れないようになっている。
【００１６】
可動部材１３の後部側には上記した長孔１３ｃが所定角度で傾斜する状態で形成されている。可動部材１３はその略中央部の両側面下部側に側方へ突出する突片１７を突設し、この突片１７をハウジング１の内壁面に形成されたガイド溝１８に嵌合することによりスライド自在に支持されている。突片１７の上面部にはテーパ面１７ａが形成され、下面部には突起部１７ｂが突設されている。これにより、可動部材１３は突片１７の突起部１７ｂを中心としてその先端側を上方へ回動できるようになっている。
【００１７】
可動部材１３の前進方向には、ガイド手段としてのガイドブロック１９が設けられている。ガイドブロック１９はその両側面部に側方へ突出する突片２０を突設し、この突片２０をハウジング１の内壁面に形成されたガイド溝１８に嵌合することによりスライド自在に支持されている。また、ガイドブロック１９の上部側には通路２１が形成され、この通路２１内に上記した糸通し手段１１を構成する可動部材１３の先端部側とピックアップ部１４とが挿入されている。
【００１８】
ガイドブロック１９の通路２１の天井面にはカム面２２が形成されている。カム面２２は、第１の平坦面２２ａと、この第１の平坦面２２ａに連続する傾斜面２２ｂと、この傾斜面２２ｂに連続する第２の平坦面２２ｃとによって構成されている。第２の平坦面２２ｃは第１の平坦面２２ａよりも高位に位置している。
【００１９】
また、通路２１の底面部には支持面２３が形成されている。支持面２３は、第１の平坦面２３ａと、この第１の平坦面２３ａに連続する傾斜面２３ｂと、この傾斜面２３ｂに連続する第２の平坦面２３ｃとによって構成されている。第２の平坦面２３ｃは第１の平坦面２３ａよりも高位に位置している。
【００２０】
可動部材１３の先端側上下部には、それぞれ突起部１３ａ、１３ｂが突設され、可動部材１３のスライド移動時には上部側の突起部１３ａが上記カム面２２に沿って摺動するようになっている。可動部材１３はカム面２２に沿って摺動することにより、その突片１７の突起部１７ｂを中心として先端側を上方へ回動させてピックアップ部１４の先端位置を調整するようになっている。このピックアップ部１４の先端位置の調整範囲は、カム面２２の傾斜面２２ｂの角度と長さによって設定され、針支持部２に選択的にセッティングされる複数種類の針２ａ（２ｂ）の穴４ａ（４ｂ）に対してそれぞれピックアップ部１４を挿入できるようになっている。即ち、ピックアップ部１４の先端位置は、図１４（ａ）に示すように針支持部３に支持される太い針２ａの頭頂部からその穴４ａの底面部までの高さｈ１よりは高く、かつ、図１４（ｂ）に示すように、針支持部３に支持される細い針２ｂの頭頂部からその穴４ｂの上面部までの高さｈ２よりは低くなる範囲内で調整されるようになっている。
【００２１】
上記したガイドブロック１９と可動部材１３との間には第２のスプリング２６が介在され、可動部材１３の前進時には第２のスプリング２６を介してガイドブロック１９も前進されるようになってる。
【００２２】
一方、ガイドブロック１９と糸通し手段１１の前進方向には、上記した針支持部３が設けられている。この針支持部３は上記ハウジング１に形成される針導入口２９と、この針導入口２９の下方部に設けられる支持ブロック３０を有している。支持ブロック３０には図３（ａ）にも示すように、針導入口２９に連通する挿入孔３２が垂直方向に沿って形成されている。図３（ｂ）は、図３（ａ）を反対側から見た状態を示すものである。
【００２３】
針２ａ（２ｂ）はその頭部（穴が形成される側の端部）を下向の状態で挿入孔３２内に挿入される。この挿入孔３２は、裁縫用途や手芸用途に一般的に用いられる複数種類の針のうち、最も大きい部類の針を挿入可能な内径を有している。
【００２４】
挿入孔３２の内底面は、針２ａ（２ｂ）の頭部を支持するための支持面３２ａとなっている。この支持面３２ａは、凹状の湾曲面として形成されている。一般に、糸通し用の穴を備えた針の頭部は、偏平状に形成されている。支持面３２ａはこのような針の偏平な頭部を接触させて支持する。
【００２５】
支持ブロック３０の中途部には、押付ブロック３３が挿入孔３２に対し直交する方向に沿ってスライド自在に設けられている。押付ブロック３３には挿入孔３２に連通する連通孔３４が垂直方向に沿って形成されている。押付ブロック３３はその前面側が第３のスプリング３６によって付勢され、背面側を支持ブロック３０の背面側から所定量突出させている。押付ブロック３３は支持ブロック３０の背面側から突出する部分３３ａがガイドブロック１９の上部側の突出部１９ａによって押圧されることにより、第３のスプリング３６の付勢力に抗して前進されるようになっている。
【００２６】
押付ブロック３３は、針２ａ（２ｂ）を挿入孔３２の内壁面の一部分に押し付けることによって針２ａ（２ｂ）を位置決め固定するものである。この押付ブロック３３は、たとえば合成樹脂製で、針２ａ（２ｂ）は、連通孔３４を挿通するようにセッティングされる。この押付ブロック３３は、ガイドブロック１９の往復動により水平方向に往復動可能となっている。
【００２７】
図４は上記した支持ブロック３０の上面図、図５はその側断面図である。
【００２８】
支持ブロック３０の挿入孔３２の上部側の内壁面には凹部としてのＶ字状の溝部３７が垂直方向に沿って形成されている。挿入孔３２内に細い針２ｂが挿入されて挿入孔３２の内壁面に押し付けられたときには、Ｖ字状の溝部３７内に嵌合されて位置決め保持されるようになっている。この位置決め保持により、細い針２ｂの穴に糸が通される際のブレが規制され、確実に糸を通すことができるようになっている。
【００２９】
また、支持ブロック３０には押付ブロック３３をスライド自在に収納する収納室３８が形成され、さらに収納室３８の下部側に位置して通路３９が挿入孔３２を横切るように形成されている。この通路３９内にピックアップ部１４が挿入されるようになっている。
【００３０】
図６は上記した押付ブロック３３を示す上面図、図７はその側断面図、図８はその下面図である。押付ブロック３３の連通孔３４の内壁面下部側には下方に向かって突出量を増大させるように傾斜するガイド部３４ａが形成されている。
【００３１】
支持ブロック３０の挿入孔３２内に太い針２ａが挿入されてその穴４ａが正面を向かない場合には、図６に示すようにガイド部３４ａに当接するが、ガイド部３４ａに沿って針頭部を押し込むことにより、穴４ａが正面を向くように矯正されて図８に示すように押付ブロック３３を通過し、穴４ａをピックアップ部１４の正面側に対向させることができるようになっている。なお、支持ブロック３０の挿入孔３２内に細い針２ｂが挿入された場合には、その穴の向きに係わらず連通孔３４を通過することが可能である。
【００３２】
次に、上記したように構成される糸通し器Ａの糸通し動作について説明する。
【００３３】
まず、図９に示すように、針支持部３内に太い針２ａ（あるいは細い針２ｂ）を挿入して支持するとともに、保持用凹部５の内底部に糸Ｔを配置する。この状態から操作部材６の頭部６ａを第１のスプリング９の付勢力に抗して押し下げる。これにより、操作部材６の接続ピン１０が図１０に示すように糸通し手段１１の可動部材１３の長孔１３ｃに沿って下降され、可動部材１３が前進されるとともに、第２のスプリング２６を介してガイドブロック１９が前進される。ガイドブロック１９の前進により、その上部側の突出部１９ａが針支持部３の押付ブロック３３の背面部に当接すると、第３のスプリング３６の付勢力に抗して押付ブロック３３が前方に押し込まれる。これにより、針２ａ（２ｂ）は挿入孔３２の内壁面に押し付けられて保持され、その穴４ａ（４ｂ）がピックアップ部１４の正面に位置するように位置決め固定される。
【００３４】
この針２ａ（２ｂ）の保持後、可動部材１３は図１１に示すようにその先端側の突起部１３ａをガイドブロック１９のカム面２２の第１の平坦面２２ａに沿って摺動させて前進し、さらに、図１２に示すように前進して傾斜面２２ｂに沿って摺動させる。この傾斜面２２ｂに沿って摺動することにより、可動部材１３はその突片１７の突起部１７ｂを支点として回動しピックアップ部１４の先端側を上昇させる。これにより、ピックアップ部１４の先端部が針２ａ（２ｂ）の穴４ａ（４ｂ）に対向する。そして、この状態からさらに、可動部材１３が前進されてピックアップ部１４により糸がピックアップされる。このピックアップ後、可動部材１３はさらに前進してその突起部１３ａがカム面２２の傾斜面２２ｂから第２の平坦面２２ｃに沿って摺動することにより、図１３に示すように針２ａ（２ｂ）の穴４ａ（４ｂ）を通過して糸通する。ピックアップ部１４は、その最先端部分が通路３９の奥まで充分に前進し、穴４ａ（４ｂ）への糸Ｔの押し込み量を多くし、糸通し作業後に針２ａ（２ｂ）を針支持部３から抜き取るときに、糸Ｔが穴４ａ（４ｂ）から容易に抜けないようにすることができる。
【００３５】
このように穴４ａ（４ｂ）に糸を通したのちは、操作部材６の頭部６ａから指を離して押圧を解除する。これにより、操作部材６が第１のスプリング９の付勢力により、上方へ押し上げられて初期位置に復帰する。また、操作部材６の上方への押し上げにより、接続ピン１０が糸通し手段１１の可動部材１３の長孔１３ｃに沿って上昇して可動部材１３が後退され、ピックアップ部１４が穴４ａ（４ｂ）から抜け出て初期位置に復帰する。
【００３６】
さらに、ガイドブロック１９の突出部１９ａによる押付ブロック３３の押圧も解除され、第３のスプリング３６の付勢力により押付ブロック３３が初期位置に復帰し、針の押圧保持が解除される。
【００３７】
これにより、針支持部３からの針２ａ（２ｂ）の抜き取りが可能な状態になり、利用者はこの糸通しされた針を針支持部３から抜き取って使用する。
【００３８】
上記したように、この実施の形態によれば、ガイドブロック１９のカム面２２によって可動部材１３の移動をガイドすることにより、針支持部３に選択的にセッティングされる複数種類の針２ａ（２ｂ）の穴４ａ（４ｂ）のそれぞれに対してピックアップ部１４の先端部が対向するようにその位置を調整する。
【００３９】
従って、単一の糸通し機構で、しかも、ピックアップ部１４の移動経路を針の太さに応じて変更することなく、複数種類の針２ａ（２ｂ）の穴４ａ（４ｂ）に対して糸通しを適切に行なうことができ、従来のようにピックアップ部１４の移動経路を針の太さに応じて変更するものと比較して構成的に簡略化して小型化及びコストの低減を図ることが可能となる。
【００４０】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００４１】
【図１】本発明の一実施の形態である糸通し器を示す外観図。
【図２】図１の糸通し器の内部構成を示す図。
【図３】図３（ａ）は図１の糸通し器の針支持部を示す断面図で、図３（ｂ）は図３（ａ）を反対側から見た状態を示す断面図。
【図４】図３の針支持部の支持ブロックを示す上面図。
【図５】図４の支持ブロックを示す側断面図。
【図６】図３の針支持部の押付ブロックを示す上面図。
【図７】図６の押付ブロックを示す側断面図。
【図８】図６の押付ブロックを示す下面図。
【図９】図２の糸通し器の針支持部に針が支持された状態を示す図。
【図１０】図９の糸通し器の可動部材及びガイドブロックが前進されて針が保持された状態を示す図。
【図１１】図１０の可動部材がガイドブロックのカム面の第１の平坦面に沿って前進する状態を示す図。
【図１２】図１１の可動部材がガイドブロックのカム面の傾斜面に沿って摺動前進する状態を示す図。
【図１３】図１２の可動部材がカム面の第２の平坦面に沿って前進してピックアップ部によって糸を針の穴に通した状態を示す図。
【図１４】図２の針支持部に選択的に支持される複数種の針の穴に対するピックアップ部の位置調整範囲を示す図。
【符号の説明】
【００４２】
Ｔ…糸、２，２ａ，２ｂ…針、３…針支持部、４，４ａ，４ｂ…穴、１１…糸通し手段、１３…可動部材、１４…ピックアップ部、１９…ガイドブロック（ガイド手段）、２２…カム面、２２ａ…第１の平坦面、２２ｂ…傾斜面、２２ｃ…第２の平坦面、３２…挿入孔、３３…押付ブロック、３４…連通孔、３４ａ…ガイド面、３７…凹部。
【図１】
0004538506.tif 000002
【図２】
0004538506.tif 000003
【図３】
0004538506.tif 000004
【図４】
0004538506.tif 000005
【図５】
0004538506.tif 000006
【図６】
0004538506.tif 000007
【図７】
0004538506.tif 000008
【図８】
0004538506.tif 000009
【図９】
0004538506.tif 000010
【図１０】
0004538506.tif 000011
【図１１】
0004538506.tif 000012
【図１２】
0004538506.tif 000013
【図１３】
0004538506.tif 000014
【図１４】
0004538506.tif 000015